(57)【要約】  【課題】  フィードローラ１４によるディスクの排出が終わり、ユーザがディスクを掴んで引き出そうとする際に、ディスクの後端部分に薄い傷が発生する。  【解決手段】  フィードローラ１４の両側に位置する２本の突条５、６のうち、ディスク挿入口側に配置された第２の突条６が、中央部の所定範囲Ｌを勾配のないストレート部６ａとし、その両側の所定範囲を勾配の急峻な第１テーパ部６ｂとし、さらにその両側を勾配の緩い第２テーパ部６ｃとして形成される。ディスク排出のためにディスクを引き抜く時に、ディスク後端の周縁部のみが勾配の急峻な第１テーパ６ｂに点接触するので、ディスクと突条の線接触による傷が付くのを防止することができる。【選択図】  図３
2005135457.tif 000002
【特許請求の範囲】
【請求項１】
回転可能なフィードローラと前記フィードローラに略対向して配置されたディスクガイドとの間に光ディスクを挟持して搬送する光ディスク搬送装置であって、前記ディスクガイドが、前記フィードローラに対向する位置に略平行に配置されて、前記フィードローラ側に突出し、かつ中央部から両側にかけて前記フィードローラに近づくようにテーパ状に形成された第１の突条および第２の突条を有し、前記突条のうちディスク挿入口側に配置された第２の突条の中央部に突条の高さが略一定のストレート部が形成され、前記ストレート部に連設してそれぞれ両側に向けた所定の範囲に所定の勾配を有する第１のテーパ部が形成されていることを特徴とする光ディスク搬送装置。
【請求項２】
前記第２の突条は、前記第１のテーパ部に連設して両側にかけて前記第１のテーパ部よりも緩くかつ前記第１の突条の勾配と略同じ勾配を有する第２のテーパ部が形成されていることを特徴とする光ディスク搬送装置。
【請求項３】
前記第１の突条と前記第２の突条とを前記第１の突条および前記第２の突条の中央部において略同じ高さで連結するブリッジを備えたことを特徴とする請求項１または請求項２に記載の光ディスク搬送装置。
【請求項４】
前記第２の突条のストレート部が、突出する量がゼロの平坦部に形成されていることを特徴とする請求項１または請求項２に記載の光ディスク搬送装置。
【請求項５】
前記ディスクガイドが、光ディスク再生装置のアッパシャーシと一体に設けられていることを特徴とする請求項１ないし請求項４のいずれかに記載の光ディスク搬送装置。
【請求項６】
請求項１ないし請求項５のいずれかに記載の光ディスク搬送装置を備えたことを特徴とする光ディスク再生装置。
【発明の詳細な説明】
【技術分野】
【０００１】
本発明は、回転可能なフィードローラとの間に光ディスクを挟持して搬送する光ディスク搬送装置と、この光ディスク搬送装置を備えた光ディスク再生装置に関する。
【背景技術】
【０００２】
従来、光ディスク再生装置、特に車載用の光ディスク再生装置は、市場から小型化、薄型化の要求が強く、これを実現するための技術開発が盛んに行われている。光ディスク再生装置の小型化、薄型化を達成するためには、光ディスクの装置内へ挿入および装置外への排出を、光ディスクをトレイに載せて行う方式ではなく、光ディスクをフィードローラとディスクガイドとで直接挟持して搬送する方式が取られている（例えば、特許文献１参照）。
【０００３】
図５は従来の車載用光ディスク再生装置のディスク搬送装置の構成を示しており、（ａ）は正面断面図、（ｂ）は平面図、（ｃ）は側面断面図である。図５において、装置のメインシャーシであるロアシャーシ１０の前部には、ディスク搬送装置１１が配置されている。ディスク搬送装置１１は、ロアシャーシ１０の幅方向に延びる板金製のフィード板１２を備え、フィード板１２の両側部中央に外側に突出して設けられた回転支軸１３が、ロアシャーシ１０に回動可能に軸支されている。フィード板１２の両側部後端には、中央部から両端部に向けて拡径したゴム製のフィードローラ１４が回転可能に設けられている。フィード板１２は、その回転支軸１３の回りに設けられた捩りコイルばね１５により、時計回り方向に回動付勢されて、常態において、アッパシャーシ３０に一体に形成されたディスクガイド３１に近接して、ディスク挿入口１０ａから挿入されたディスクＤを、フィードローラ１４とディスクガイド３１とにより挟むようにして搬送する。ディスク挿入口１０ａは、ロアシャーシ１０の前面板に形成されている。
【０００４】
ディスクガイド３１は、フィードローラ１４の両側に対向する位置に配置された平行な第１突条３１ａと第２突条３１ｂと、ディスク挿入口１０ａに近い部分に形成されて、中央部を手前側に両端部を奥側に傾斜させて「く」の字形の第３突条３１ｃとを有する。これら突条３１ａ、３１ｂ、３１ｃは、それぞれフィードローラ１４側に山形に突出し、かつ中央部から両側に向けてフィードローラ１４に近づくように同じ勾配のテーパ状に形成されている。このような突条を有することにより、ディスク挿入口１０ａから挿入されたディスクＤは、各突条３１ｃ、３１ｂ、３１ａにセンタリングされながらフィードローラ１４により装置奥側に搬送され、搬送終了時点では、ディスクＤを回転させるターンテーブルの中心位置に位置決めされるようになっている。
【特許文献１】特開平８−１３８２９８号公報
【発明の開示】
【発明が解決しようとする課題】
【０００５】
しかしながら、上記従来のディスク搬送装置を薄型の光ディスク再生装置に応用すると、図６（ａ）に示すように、フィードローラ１４によるディスクＤの排出が終わり、ディスクＤの後端部分が第１突条３１ａを外れて、ユーザがディスクＤを掴んで引き出そうとする際に、ユーザの引き出し操作によっては、ディスクＤの後端部分が第２突条３１ｂに擦れて薄い傷が発生するという問題があった。これは、図６（ａ）のＢ−Ｂ断面拡大図である図６（ｂ）に示すように、第２突条３１ｂが両端部から中心線ＣＬ上まで等しい勾配θを有するため、勾配θの角度を急峻にすることができず（第１突条３１ａ、第３突条３１ｃも同じ）、フィードローラ１４に押されたディスクＤの後端部分が、中心線ＣＬから離れた所定の範囲Ｗ（例えば中心線ＣＬから２７．１ｍｍ〜３７．０ｍｍの範囲）において、第２突条３１ｂに線的に接触することにより発生する。このような傷は、ディスクＤが両面に記録面を有するＤＶＤなどの場合には再生不良が発生する可能性があるので、特に問題となる。ディスクＤがＣＤなどの記録面が片面のみの場合でも、ユーザがディスクＤの裏表を逆に挿入するなどの誤挿入をした際は同様な問題が生じる。
【０００６】
本発明は、このような従来の問題を解決するものであり、装置を薄型化してもディスクに傷を付けることなく搬送することのできる光ディスク搬送装置およびこれを備えた光ディスク再生装置を提供することを目的とする。
【課題を解決するための手段】
【０００７】
上記目的を達成するため、本発明の光ディスク搬送装置は、回転可能なフィードローラと前記フィードローラに略対向して配置されたディスクガイドとの間に光ディスクを挟持して搬送する光ディスク搬送装置であって、前記ディスクガイドが、前記フィードローラに対向する位置に略平行に配置されて、前記フィードローラ側に突出し、かつ中央部から両側にかけて前記フィードローラに近づくようにテーパ状に形成された第１の突条および第２の突条を有し、前記突条のうちディスク挿入口側に配置された第２の突条の中央部に突条の高さが略一定のストレート部が形成され、前記ストレート部に連設してそれぞれ両側に向けた所定の範囲に所定の勾配を有する第１のテーパ部が形成されていることを特徴とする。
【０００８】
この構成により、フィードローラによるディスクの排出が終わり、ディスクの後端部分が第１突条を外れて、ユーザがディスクを掴んで引き出そうとする際、ディスクの後端部分は、第２突条の低いストレート部に位置し、ディスク後端の周縁部のみが第２突条の勾配の比較的大きな第１テーパ部に点接触するので、ディスクを引き抜いてもディスクが第２突条に線的に接触することがなく、ディスクに傷が付くのを防止することができる。
【０００９】
また、本発明の光ディスク搬送装置は、前記第２の突条は、前記第１のテーパ部に連設して両側にかけて前記第１のテーパ部よりも緩くかつ前記第１の突条の勾配と略同じ勾配を有する第２のテーパ部が形成されていることを特徴とする。この構成により、フィードローラによるディスクの排出動作中においても、ディスクの周縁部のみが第２テーパ部に点接触するので、ディスク面に傷が付くのを防止することができる。
【００１０】
また、本発明の光ディスク搬送装置は、前記第１の突条と前記第２の突条とを前記第１の突条および前記第２の突条の中央部において略同じ高さで連結するブリッジを備えたことを特徴とする。この構成により、第２の突条のストレート部の範囲や第１テーパ部の角度等の条件によっては、ディスクの後端部分が第１の突条を外れた際に、ディスクの後端部分が第２の突条の低いストレート部に接触する場合もあり、このような場合にも、第１の突条と第２の突条とを中央部で同じ高さのブリッジで連結することにより、ディスクの後端部の周縁部のみがブリッジに接触するので、第２の突条のストレート部によってディスク後端部分に傷が付くのを防止することができ、また、このブリッジによりディスクガイドの強度を増すことができる。
【００１１】
また、本発明の光ディスク搬送装置は、前記第２の突条のストレート部が、突出する量がゼロの平坦部に形成されていることを特徴とする。この構成により、ディスクガイドの材質や厚さ、各突条のテーパ角度等により、第２の突条のストレート部を平坦部に形成することができる。
【００１２】
また、本発明の光ディスク搬送装置は、前記ディスクガイドが、光ディスク再生装置のアッパシャーシと一体に設けられていることを特徴とする。この構成により、アッパシャーシを板金加工する際に、ディスクガイドを一体に形成することができる。
【００１３】
また、本発明は、上記の光ディスク搬送装置を備えたことを特徴とする光ディスク再生装置であり、この構成により、ディスクガイドの突条のテーパ角度を小さくしても、ディスクの傷発生を防止できるので、高性能で薄型の光ディスク再生装置を実現することができる。
【発明の効果】
【００１４】
本発明は、ディスクガイドにおけるディスク挿入口側に配置された第２の突条が、中央部の所定範囲を勾配のないストレート部とし、その両側の所定範囲を勾配の比較的大きなテーパ部として形成され、ディスク排出のためにディスクを引き抜いた時に、ディスク後端の周縁部のみが勾配の比較的大きなテーパ部に点接触するので、ディスクと突条の線接触による傷が付くのを防止することができ、高性能の薄型の光ディスク再生装置を実現することができるという効果を有する。
【発明を実施するための最良の形態】
【００１５】
以下、本発明の実施の形態について図面を参照して説明する。図１（ａ）は本発明の実施の形態における車載用光ディスク再生装置のロアシャーシとサスペンションシャーシ組立体を示す概略平面図、図１（ｂ）はそのロアシャーシ組立体の概略側面図である。また、図２（ａ）は、同装置におけるフィードローラがディスク離間位置に位置する状態の概略平面図、図２（ｂ）はその概略側面図である。説明の便宜上、図５に示した従来例の説明に用いた符号が、アッパシャーシを除いて、同様な部材に対して用いてある。図１および図２において、ロアシャーシ１０の前部には、ディスク搬送装置１１が配置されている。ディスク搬送装置１１は、板金製のフィード板１２を備え、フィード板１２の両側部中央に外側に突出して設けられた回転支軸１３が、ロアシャーシ１０に回動可能に軸支されている。フィード板１２の両側部後端には、中央部から両端部に向けて拡径したゴム製のフィードローラ１４が回転可能に設けられている。フィード板１２は、左右に設けられた２本の引張コイルばね１により時計回り方向に回動付勢されている。各引張コイルばね１は、その荷重の方向がフィード板１２の回転支軸１３の下部近傍を通るように、一端部をフィード板の前端側裏面に設けた係止片２に支持され、他端部をロアシャーシ１０の底面上に設けた係止片３に支持されている。
【００１６】
サスペンションシャーシ２０は、オイルダンパとコイルばねとによるダンパ機構２１、２２、２３により、ロアシャーシ１０に３点で支持されている。サスペンションシャーシ２０の開口部２４には、ターンテーブル機構、光ピックアップ機構が取り付けられ、一方の内側面に設けられたサスペンションロック機構２５を介して、ディスクをターンテーブルに押し付けるディスククランプ機構のクランプアームが回動可能に取り付けられている。
【００１７】
次に、本実施の形態におけるディスクガイドの構成について説明する。図３（ａ）は本実施の形態における光ディスク再生装置のアッパシャーシの部分平面図、図３（ｂ）はその正面図、図３（ｃ）はその左側面断面図であり、図１を９０度回転した状態を示している。板金製のアッパシャーシ４には、その前端部裏側にディスクガイドとなる３本の突条５、６、７が形成されている。これらの突条のうち、第１突条５と第２突条６とは、フィードローラ１４の両側に対向する位置に平行に配置され、第３突条７は、アッパシャーシ４の前面に形成されたディスク挿入口４ａ（図１のディスク挿入口１０ａに対応）に近い部分に、中央部を手前側に両端部を奥側に傾斜させて「く」の字形に形成されている。
【００１８】
平行な２本の突条５、６のうち、ディスク挿入口側の第２突条６は、中央部がフィードローラ１４側に山形に僅かに突出した高さを有し、高さおよび幅がそれぞれ一定のストレート部６ａとして形成され、ストレート部６ａの両側部は、それぞれストレート部６ａから連続してフィードローラ１４側に山形に突出し、かつ中央部から両側にかけてフィードローラ１４に近づくように勾配を持たせた第１テーパ部６ｂと、さらにその両側にかけてフィードローラ１４に近づくように勾配を持たせた第２テーパ部６ｃとして形成されている。第２突条６のストレート部６ａのアッパシャーシ４の面からの高さＨは０．３５ｍｍ程度であり、ストレート部６ａの範囲Ｌは中心線ＣＬのそれぞれ片側２１．２ｍｍ、両側で４２．４ｍｍ程度である。第１テーパ部６ｂの幅は１７．５ｍｍ程度、勾配は３．２度程度である。第２テーパ部６ｃの勾配は、第１突条５と同じ１．４程度である。第１突条５と第３突条７との中心線ＣＬ上の高さＨは、第２突条６のストレート部６ａの高さＨと同じ０．３５ｍｍ程度であり、それぞれのテーパの勾配は１．４程度である。第１突条５と第２突条６とは、中心線ＣＬ上でブリッジ６ｄにより連結されている。これらの突条５、６、７はアッパシャーシ４の絞り加工により形成され、そのフィードローラ１４側の裏面は、シャーシ表面の粗さによって生じる擦り傷を防止するために、摩擦係数の小さい塗布材によりコーティングされている。
【００１９】
次に、本実施の形態における光ディスク再生装置の動作について説明する。図１において、ユーザがディスクをディスク挿入口１０ａから装置内に挿入すると、ディスクの挿入を検知したフォトセンサからの信号によりディスク搬送モータ１６が回転して、フィードローラ１４を回転させ、ディスクはフィードローラ１４とアッパシャーシ４に形成されたディスクガイドとなるテーパ状の３本の突条５、６、７により、中央部にセンタリングされながら装置内に引き込まれる。ディスクが装置内に引き込まれると、ディスクの後端によりサスペンションロック機構２５が動作して、サスペンションシャーシ２０の一方の側面に設けられたサスペンションロック部材２６が前方向に摺動し、そのラック２７がピニオン２８に噛み合うことにより、ディスク搬送モータ１６により駆動されるピニオン２８によりラック２７が前方向に摺動し、その前端部の下面に形成されたカム面２９によってフィードローラ１４が押し下げられ、フィード板１２は回転支軸１３を中心に反時計回り方向に回動する。これにより、フィードローラ１４がアッパシャーシ４から離れ、図２に示すように、カム面２９の底面により、その状態が保持され、サスペンションシャーシ２０が浮遊状態に保持される。同時に、クランプアームが降下してディスククランプがディスクをターンテーブル上に位置決めし、光ピックアップ機構によりディスクの再生が行われる。
【００２０】
ディスクの再生が終了して、イジェクトボタンを押すと、ディスク搬送モータ１６が逆転することにより、上記とは逆の動作が行われる。まず、クランプアームが上昇してディスククランプがディスクから離れ、ピニオン２８がラック２７およびサスペンションロック部材２６を後方向に摺動し、カム面２９によりフィード板１２が上昇してフィードローラ１４がディスクに接触して、ディスクを外部から掴めるような位置まで排出する。このとき、フィード板１２を回動付勢する引張コイルばね１を、荷重の方向がフィード板１２の回転支軸１３の下部近傍を通るように、一端部をフィード板１２の前端側に設けた係止片２に支持し、他端部をロアシャーシ１０の底面上に設けた係止片３に支持したので、フィード板１２をディスクガイドに対し離間する方向に回動させる際に、少ない力で回動させることができ、出力の小さなモータを使用することができる。
【００２１】
次に、本実施の形態におけるディスクガイドを構成する突条５、６の作用について図４を用いて説明する。フィードローラ１４によるディスクＤの排出が終わり、ディスクＤの後端部分が第１突条５を外れて、ユーザがディスクＤを掴んで引き出そうとすると、ディスクＤの後端部分は、位置Ｐ１では、ディスク後端の周縁部のみが第２突条６の勾配の比較的大きな第１テーパ部６ｂに点接触するので、ディスクＤに傷が付くのを防止することができる。また、位置Ｐ２では、ディスクＤの後端部は、第２突条６の中央部の勾配のないストレート部６ａに位置し、かつディスクＤの後端周縁部がブリッジ６ｄに接触してストレート部６ａから離れているので、ディスクＤを前方に引き出してもディスクＤの後端部分に傷が付くのを防止することができる。
【００２２】
このように、本実施の形態によるディスク搬送装置によれば、回転可能なフィードローラ１４とアッパシャーシ４に一体に形成されたディスクガイドとなる突条５、６、７のうち、ディスク挿入口４ａ側に配置された第２突条６が、中央部の所定範囲Ｌがストレート部６ａとして形成され、その両側の所定範囲Ｗがフィードローラ１４に徐々に近づく勾配の比較的大きな第１テーパ部６ｂとして形成され、さらにその両側が勾配の緩い第２テーパ部６ｃとして形成されているので、フィードローラ１４によるディスクＤの排出が終わり、ユーザがディスクＤを掴んで引き出そうとする際に、ディスクＤのＰ１の位置ではディスクＤの後端周縁部が第２突条６の勾配の比較的大きな第１テーパ部６ｂに点接触するので、ディスクＤの後端部に傷が付くのを防止することができる。さらにディスクＤが前進したＰ２の位置では、ディスクＤの後端周縁部は高さＨの低いストレート部６ａに位置してブリッジ６ｄに点接触しているので、ディスクを引き抜いてもディスクに傷が付くことがない。また、ストレート部６ａは、高さの低い山形にリブ状に形成され、さらにブリッジ６ｄにより連結されているので、アッパシャーシ４として厚さの薄い板金を使用しても強度を保持することができる。
【００２３】
また、このようなディスク搬送装置を備えた光ディスク再生装置とすることにより、高性能で薄型の光ディスク再生装置を実現することができる。
【００２４】
また、本実施の形態では、各突条５、６、７の形状を山形としたが、山形形状に限らず、三角形状でも半円形状などでもよい。また、ディスクガイドの強度が他の手段により保持できれば、第１突条５のストレート部６ａを突出量がゼロの平坦部としてもよい。この場合、突出量ゼロとすることで、さらにスペースが確保でき、そのスペースを有効活用することができるというメリットがある。
【００２５】
また、本実施の形態では、フィードローラ１４両側の２本の突条５、６のうちの第２突条６に対し本発明を実施したが、第２突条６と第３突条７との間にさらに同様な突条を有する装置の場合には、その突条に対しても本発明を実施するとよい。
【００２６】
また、本実施の形態では、ディスクガイドをアッパシャーシと一体に形成したが、アッパシャーシとは別体のディスクガイドを用いてもよく、例えば摩擦係数の小さい素材を用いてディスクガイドを構成すれば、塗装剤によるコーディングが不要になる。
【産業上の利用可能性】
【００２７】
以上説明したように、本発明の光ディスク搬送装置は、ディスクガイドにおけるディスク挿入口側に配置された第２の突条が、中央部の所定範囲に勾配のないストレート部を設けたことで、その両側の所定範囲を勾配の急峻なテーパ部として形成したので、ディスク排出のためにディスクを引き抜いた時に、ディスク後端の周縁部のみが勾配の急峻なテーパに点接触し、ディスクと突条の線接触による傷が付くのを防止することができるという効果を有し、回転可能なフィードローラとの間に光ディスクを挟持して搬送する光ディスク搬送装置および光ディスク再生装置等として有用である。
【図面の簡単な説明】
【００２８】
【図１】（ａ）本発明の実施の形態における光ディスク再生装置のロアシャーシとサスペンションシャーシ組立体を示し、フィードローラ駆動状態の概略平面図  （ｂ）図１（ａ）の概略側面図
【図２】（ａ）本発明の実施の形態におけるフィードローラ退避状態の概略平面図  （ｂ）図２（ａ）の概略側面図
【図３】（ａ）本発明の実施の形態におけるアッパシャーシの部分平面図  （ｂ）本発明の実施の形態におけるアッパシャーシの正面図  （ｃ）本発明の実施の形態におけるアッパシャーシの部分左側面図
【図４】（ａ）本発明の実施の形態におけるディスクガイドの動作を示す概略平面図    （ｂ）図４（ａ）におけるＡ−Ａ線に沿う拡大断面図
【図５】（ａ）従来例におけるディスク搬送装置の概略正面断面図  （ｂ）従来例におけるディスク搬送装置の概略平面図  （ｃ）従来例におけるディスク搬送装置の概略側面断面図
【図６】（ａ）従来例におけるディスクガイドの動作を示す概略平面図  （ｂ）図６（ａ）におけるＢ−Ｂ線に沿う拡大断面図
【符号の説明】
【００２９】
１  引張コイルばね
２、３係止突起
４  アッパシャーシ
４ａ  ディスク挿入口
５  第１突条
６  第２突条
６ａ  ストレート部
６ｂ  第１テーパ部
６ｃ  第２テーパ部
６ｄ  ブリッジ
７  第３突条
１０  ロアシャーシ
１０ａ  ディスク挿入口
１１  ディスク搬送装置
１２  フィード板
１３  回転支軸
１４  フィードローラ
１５  捩りコイルばね
１６  ディスク搬送モータ
２０  サスペンションシャーシ
２１、２２、２３  ダンパ機構
２４  開口部
２５  サスペンションロック機構
２６  サスペンションロック部材
２７  ラック
２８  ピニオン
２９  カム面
３０  アッパシャーシ
３１  ディスクガイド
【図１】
2005135457.tif 000003
【図２】
2005135457.tif 000004
【図３】
2005135457.tif 000005
【図４】
2005135457.tif 000006
【図５】
2005135457.tif 000007
【図６】
2005135457.tif 000008